(57)【要約】【課題】ユーザは、ＳＤカードに楽曲と共に記録する楽曲関連情報（例：楽曲名やアーティスト名）の文字種を、オーディオ録再装置１０の表示部１３の表示対応文字種に合わせて又は好みにより選定できるようにする。【解決手段】楽曲関連情報データベースを格納するＳＤカードがＳＤスロット１，２のどちらに挿入されているかを検出し、それぞれｄｅｔ＿ｄｂ＝ＳＤ１，ＳＤ２とする。ＣＤがＣＤスロット１２に挿入されると、そのＴＯＣ情報を検出して、該ＴＯＣ情報に基づきＳＤカード内のデータベースを検索し、楽曲関連情報を入手する（Ｓ６９，Ｓ７０）。その際、楽曲関連情報はｄｅｔ＿ｄｂ＝ＳＤ１ならば、読み仮名で、また、ｄｅｔ＿ｄｂ＝ＳＤ２ならば、漢字で取得する（Ｓ７２，Ｓ７４）。取得楽曲関連情報は、楽曲ファイルのタグの内容にして、記録先メディアに記録する。【選択図】図４
2010097647.tif 000002
【特許請求の範囲】
【請求項１】
複数の記憶媒体接続手段と、
所定の記録媒体に記録されたコンテンツデータを読み取る読み取り手段と、
前記読み取り手段により読み取るコンテンツデータに対応付けて複数の文字種でコンテンツ関連情報を蓄積しているデータベースを参照し、前記コンテンツデータに関連する関連情報を取得する関連情報取得手段と、
前記読み取り手段により読み取ったコンテンツデータに、前記関連情報読み取り手段により取得した関連情報を付与し、前記複数の記憶媒体接続手段に接続された記憶媒体に記録する記録手段と、
を備え、
前記記録手段は、前記複数の記憶媒体接続手段と前記複数の文字種とが対応付けられており、前記記憶媒体が接続された記憶媒体接続手段又は前記データベースが記録された記憶媒体が接続された記憶媒体接続手段に対応付けられた文字種の関連情報が付与されて記憶媒体に記録されることを特徴とする、コンテンツ処理装置。
【請求項２】
前記複数の記憶媒体接続手段は、同一種類の記憶媒体が接続可能であり、
前記記憶媒体又は前記データベースが記録された記憶媒体を選択可能に接続する、
ことを特徴とする、請求項１記載のコンテンツ処理装置。
【請求項３】
文字種には、漢字、読み仮名、及び／又は英語が含まれることを特徴とする、請求項１又は２記載のコンテンツ処理装置。
【請求項４】
所定の記録媒体に記録されたコンテンツデータを読み取る読み取りステップと、
前記読み取りステップにおいて読み取るコンテンツデータに対応付けて複数の文字種でコンテンツ関連情報を蓄積しているデータベースを参照し、前記コンテンツデータに関連する関連情報を取得する関連情報取得ステップと、
前記読み取りステップにおいて読み取ったコンテンツデータに、前記関連情報読み取りステップにおいて取得した関連情報を付与し、記憶媒体接続手段に接続された記憶媒体に記録する記録ステップと、
を備え、
前記記録ステップでは、前記複数の記憶媒体接続手段と前記複数の文字種とが対応付けられており、前記記憶媒体が接続された記憶媒体接続手段又は前記データベースが記録された記憶媒体が接続された記憶媒体接続手段に対応付けられた文字種の関連情報が付与されて記憶媒体に記録されることを特徴とする、コンテンツ処理方法。
【請求項５】
請求項１〜３のいずれかに記載のコンテンツ処理装置の各手段としてコンピュータを機能させるプログラム。
【発明の詳細な説明】
【技術分野】
【０００１】
本発明は、コンテンツとそのコンテンツ関連情報とを対応付けてメディアに記録するコンテンツ処理装置、方法及びプログラムに関する。
【背景技術】
【０００２】
特許文献１は、表示器にユーザ出身地のユーザ情報画面を表示し（特許文献１の図３のＳ１及び図４（ａ））、ユーザが検索ボタンを操作すると（特許文献１の図３のＳ２のＳＫ）、楽曲情報データベースを検索して、出身地に関係する楽曲の曲名やアーティスト名を収集し（特許文献１の段落００３２及び図３のＳ５）、それら曲名やアーティスト名を含むプレイリストを表示器に表示する（特許文献１の図３のＳ６，Ｓ７及び図４（ｃ））ことを開示する。
【０００３】
従来のオーディオ装置では、楽曲を録音元メディア（例：ＣＤやＤＶＤ）から録音先メディア（例：ＳＤカードやＵＳＢメモリ）へ録音する際に、楽曲データベース（例：ｇｒａｃｅｎｏｔｅやＡＭＧ  ＬＡＳＳＯ等）へアクセスして、録音元メディアのＴＯＣ（Table of Contents）等の情報に基づき該楽曲データベースより楽曲名等の楽曲関連情報を取得して、該楽曲関連情報をタグ情報にした楽曲ファイルを録音先メディアに記録することが行われている。
【特許文献１】特開２００８−８４３７４号公報
【発明の開示】
【発明が解決しようとする課題】
【０００４】
オーディオ装置は種々のグレードや種類のものが存在し、オーディオ装置によっては、漢字が表示できずに、読み仮名しか表示できないもの、又は英語しか表示できないことがある。また、ユーザは、漢字表示が可能なオーディオ装置においても、好みにより楽曲名を読み仮名で表示したり、英語で表示したりしたいことがある。従来のオーディオ装置では、楽曲データベースから表示可能文字種に対応した楽曲関連情報を選別、取得して、該楽曲関連情報を楽曲に対応付けて該楽曲と共にメディア内に記録することが困難であった。
【０００５】
特許文献１は、楽曲データベースからの楽曲関連情報の取得を開示するのみであり、的確な文字種の楽曲関連情報を楽曲データベースから選別、取得して、該楽曲関連情報をメディアに記録する具体的手段について開示も示唆も行っていない。
【０００６】
また、タグ情報に漢字を付与して楽曲ファイルを記録した録音先メディアを、漢字を表示できない装置で再生する場合は、楽曲の情報を表示できない。
【０００７】
本発明の目的は、リッピング対象コンテンツについてそのコンテンツ関連情報を的確な文字種でデータベースから選別、取得して、メディアに記録するコンテンツ処理装置、方法及びプログラムを提供することである。
【課題を解決するための手段】
【０００８】
本発明によれば、文字種（例：漢字及び読み仮名）を記憶媒体接続手段に対応付け、データベースを格納している記憶媒体が接続されている記憶媒体接続手段又はコンテンツの記録先の記憶媒体が接続されている記憶媒体接続手段に対応付けられている文字種のコンテンツ関連情報をデータベースから選別、取得する。そして、コンテンツと取得したコンテンツ関連情報とを対応付けて記録先の記憶媒体に記録する。
【０００９】
本発明のコンテンツ処理装置は、複数の記憶媒体接続手段と、所定の記録媒体に記録されたコンテンツデータを読み取る読み取り手段と、前記読み取り手段により読み取るコンテンツデータに対応付けて複数の文字種でコンテンツ関連情報を蓄積しているデータベースを参照し、前記コンテンツデータに関連する関連情報を取得する関連情報取得手段と、前記読み取り手段により読み取ったコンテンツデータに、前記関連情報読み取り手段により取得した関連情報を付与し、前記複数の記憶媒体接続手段に接続された記憶媒体に記録する記録手段と、を備える。前記記録手段は、前記複数の記憶媒体接続手段と前記複数の文字種とが対応付けられており、前記記憶媒体が接続された記憶媒体接続手段又は前記データベースが記録された記憶媒体が接続された記憶媒体接続手段に対応付けられた文字種の関連情報が付与されて記憶媒体に記録される。
【００１０】
本発明のコンテンツ処理方法は、所定の記録媒体に記録されたコンテンツデータを読み取る読み取りステップと、前記読み取りステップにおいて読み取るコンテンツデータに対応付けて複数の文字種でコンテンツ関連情報を蓄積しているデータベースを参照し、前記コンテンツデータに関連する関連情報を取得する関連情報取得ステップと、前記読み取りステップにおいて読み取ったコンテンツデータに、前記関連情報読み取りステップにおいて取得した関連情報を付与し、記憶媒体接続手段に接続された記憶媒体に記録する記録ステップと、を備える。前記記録ステップでは、前記複数の記憶媒体接続手段と前記複数の文字種とが対応付けられており、前記記憶媒体が接続された記憶媒体接続手段又は前記データベースが記録された記憶媒体が接続された記憶媒体接続手段に対応付けられた文字種の関連情報が付与されて記憶媒体に記録される。
【００１１】
本発明のプログラムは、前述のコンテンツ処理装置の内のいずれかのコンテンツ処理装置の各手段としてコンピュータを機能させる。
【発明の効果】
【００１２】
本発明によれば、ユーザは、コンテンツデータを記録する記憶媒体またはデータベースが記録された記憶媒体を、複数の接続手段より選択的に接続することによって、所望の文字種のコンテンツ関連情報をコンテンツに対応付けてかつコンテンツと共に記憶媒体に記憶することができる。
【発明を実施するための最良の形態】
【００１３】
図１はオーディオ録再装置１０をその前方の斜め上方から見た斜視図である。実際の使用時では、左右のスピーカ（図示せず）が、オーディオ録再装置１０へ接続されて、オーディオ録再装置１０からの音声信号に係る音を出力するようになっている。前面パネル１１にはＣＤスロット１２、表示部１３、操作部１４、メモリカードスロット１５，１６及びＵＳＢ差込口１７が配備される。
【００１４】
ＣＤスロット１２は、前面パネル１１の上部に配置され、ＣＤやＤＶＤを挿抜自在に挿入される。表示部１３は、ＣＤスロット１２の下に位置し、液晶又はＬＥＤ（Light Emitting Diode）等から成り、情報をテキストや画像等で表示する。操作部１４は、前面パネル１１の右端部に配列された複数のボタンから成り、ユーザがオーディオ録再装置１０へ指示を出す際に押下される。
【００１５】
メモリカードスロット１５，１６は、表示部１３の下方において左右に並んで配置され、メモリカード２２，２３をそれぞれ挿抜自在に挿入されるようになっている。メモリカードスロット１５，１６はユーザにはオーディオ録再装置１０の「ＳＤスロット１」及び「ＳＤスロット２」と認識されており、以降、それらを適宜「ＳＤスロット１」及び「ＳＤスロット２」と呼ぶ。メモリカード２２，２３は例えばＳＤカードやメモリスティックである。ＵＳＢ差込口１７は、操作部１４の下方に配置され、ＵＳＢメモリ２５を着脱自在に装着される。ＵＳＢ差込口１７には、ＵＳＢケーブルも接続可能であり、例えばデジタルオーディオプレーヤがＵＳＢケーブルを介してオーディオ録再装置１０へ接続可能になっている。
【００１６】
図２はオーディオ録再装置１０のブロック図である。セレクタ３１は、システムマイコン３４からの制御信号に基づき受信部（具体的には例えばラジオチューナ）３５及びアナログ入力部３６のどちらかを選択し、選択した方のアナログ信号をＡＤＣ（アナログ／デジタル変換器）４０へ出力する。ＣＤメカ部４２は、それへ装填されたＣＤから読み出したデータや所定の検出信号をデジタル形式でＤＳＰ（Digital Signal Processor）４３へ送る。ＡＤＣ４０は、セレクタ３１からのアナログ信号をデジタル信号へ変換して、ＤＳＰ４３へ出力する。
【００１７】
表示部１３は、システムマイコン３４からの表示データに基づきテキスト等の情報を表示する。操作部１４は、ユーザ操作のあったボタンに係る情報をシステムマイコン３４へ出力する。操作部１４は、オーディオ録再装置１０の本体に配備するものとは別に、ワイヤレスリモコン装置を含むことができる。
【００１８】
システムマイコン３４は、ＤＳＰ４３と共用する記憶部４４に対し、データの読み書きを可能にしている。記憶部４４は例えばハードディスク装置である。システムマイコン３４は、ＣＤメカ部４２、操作部１４及びＤＳＰ４３からデータを入力され、それらからの入力に基づき所定の処理を行うとともに、表示部１３、セレクタ３１、ＣＤメカ部４２及びＤＳＰ４３へデータや制御信号を出力する。
【００１９】
ＤＳＰ４３は、エンコーダ及びデコーダを実装しており、エンコードやデコード等の種々の演算を実行する。メモリカード用インターフェース４５，４６及びＵＳＢコントローラ４７は、それぞれメモリカードスロット１５，１６及びＵＳＢ差込口１７に対応しており、それぞれメモリカードスロット１５，１６及びＵＳＢ差込口１７に差し込まれたメモリカード２２，２３及びＵＳＢメモリ２５に対してデータを読み書きする。ＵＳＢコントローラ４７には、ＵＳＢメモリ２５に代えて、ＵＳＢケーブルの親側のコネクタを接続することもできる。これにより、携帯型デジタルオーディオプレーヤ等がＵＳＢケーブルを介してオーディオ録再装置１０へ適宜接続される。
【００２０】
ＤＳＰ４３は記憶部４４との間でもデータを送受する。ＤＳＰ４３における処理対象ソースの選択は、ユーザによる操作部１４における直接的なユーザ指示の他に、操作部１４におけるワンタッチ録音指示等の所定のユーザ指示によっても行われる。
【００２１】
記憶部４４や装着中のメモリカード２２，２３及びＵＳＢメモリ２５に格納されているＭＰ３（MPEG Audio Layer-３）やＷＭＡ（Windows（登録商標） Media Audio）等のオーディオファイル（典型的には楽曲ファイル）は、そのデータをＤＳＰ４３により読み出されて、デコードされ、ＤＡＣ（デジタル／アナログ変換器）５１へ送られる。ＤＡＣ５１は、デジタルのオーディオ信号をアナログのオーディオ信号へ変換する。該オーディオ信号は、増幅部５２において増幅されてから、出力部５３へ供給される。出力部５３にはスピーカ（図示せず）が接続されている。
【００２２】
図３はＤＢ（データベース）スロット特定ルーチン５８のフローチャートである。なお、図３〜図６の説明において、メモリカード２２，２３は共にＳＤカードであると想定する。ＤＢスロット特定ルーチン５８では、楽曲関連情報データベースを格納するＳＤカードがＳＤスロット１（＝カードスロット１５）及びＳＤスロット２（＝カードスロット１６）のどちらに挿入されているかを特定する。楽曲関連情報データベースの楽曲関連情報には、例えば各楽曲についての楽曲名、アーティスト名、アルバム名及びジャンルが含まれる。
【００２３】
Ｓ５９では、該データベースがＳＤスロット１に存在するか否かを判定し、判定が正であれば、Ｓ６０へ進み、否であれば、Ｓ６１へ進む。Ｓ６０では、変数ｄｅｔ＿ｄｂにＳＤ１を代入する。Ｓ６２では、変数ｄｅｔ＿ｄｂにＳＤ２を代入する。ＳＤ１，ＳＤ２は、データベースを格納するＳＤカードがそれぞれＳＤスロット１及び２に挿入されていることを意味する。
【００２４】
図４はタイトル文字種選定ルーチン６８のフローチャートである。ＳＤカードに格納されている一般的な楽曲関連情報データベースは、楽曲関連情報を漢字及び読み仮名の文字種で保有している。タイトル文字種選定ルーチン６８では、楽曲関連情報データベースを格納するＳＤカードがＳＤスロット１に挿入されている場合には、文字種として読み仮名を選定し（Ｓ７１→Ｓ７４）、また、ＳＤスロット２に挿入されている場合には、文字種として漢字を選定する（Ｓ７１→Ｓ７２）。楽曲関連情報データベースによっては、楽曲関連情報について読み仮名の文字種で保有していない場合があり、この場合には、タイトル文字種選定ルーチン６８では、文字種として漢字を選定する（Ｓ７１→Ｓ７３→Ｓ７２）。
【００２５】
Ｓ６９では、ユーザによるＣＤスロット１２へのＣＤの挿入を検出するとともに、該ＣＤのＴＯＣ（Table Of Contents）情報を取得する。Ｓ７０では、該ＴＯＣ情報を使用して、楽曲関連情報における検索を開始する。Ｓ７１では、ｄｅｔ＿ｄｂ＝ＳＤ１であるか否かを判定し、判定が否であれば、Ｓ７２へ進み、正であれば、Ｓ７３へ進む。
【００２６】
Ｓ７２では、オリジナルタイトル（オリジナル楽曲名）を取得し、Ｓ７５へ進む。なお、オリジナルタイトルは漢字で表記されている。Ｓ７３では、オリジナルタイトルの読み仮名がデータベースに有るか否かを判定し、判定が正であれば、Ｓ７４へ進み、否であれば、Ｓ７２へ進む。Ｓ７４では、読み仮名のタイトル（楽曲名）を取得し、Ｓ７５へ進む。Ｓ７５では、Ｓ７２又はＳ７４で取得したタイトルを付与する対象とする。
【００２７】
こうして、ユーザは、リッピングしたデータに対応するタイトル情報を漢字情報としたい場合は、データベース格納ＳＤカードをＳＤスロット２へ挿入して、漢字のタイトルを取得する。ユーザは、リッピングしたデータに対応するタイトル情報を読み仮名（例えば片仮名表示）としたい場合は、データベース格納ＳＤカードをＳＤスロット１へ挿入して、読み仮名のタイトルを取得する。ユーザは、また、オーディオ録再装置１０が漢字表示対応機であっても、読み仮名のタイトルを表示部１３に表示したければ、データベース格納ＳＤカードをＳＤスロット１へ挿入して、読み仮名のタイトルを読み仮名表示とすることができる。
【００２８】
図５はリッピングルーチン８０のフローチャートである。Ｓ８１では、リッピングが開始される。リッピングはユーザが操作部１４における録音ボタンを押下するのに伴い開始される。リッピングは、操作部１４における１回のユーザ操作で、ＣＤ内の１曲についてのみ実施される場合と、ユーザにより予めプログラムされた数曲について実施される場合と、全曲について実施される場合とがある。
【００２９】
Ｓ８２ではタイトル情報が有るか否か、すなわち、前述のタイトル文字種選定ルーチン６８のＳ７２又はＳ７４でタイトルを取得済みであるか否かを判定し、判定が正であれば、Ｓ８３へ進み、否であれば、データベースを参照したタイトルを付与せずにリッピングデータを作成してリッピングルーチン８０を終了する。この場合に付与されるタイトルは、通番などが付与される。Ｓ８３では、リッピング対象の楽曲のファイルをＳＤカード（楽曲関連情報データベースが格納されているＳＤカード以外のＳＤカード）、ＵＳＢメモリ２５又は記憶部４４にＷＭＡやＭＰ３等のファイルで格納するとともに、その際、タイトル情報を該ファイル内のタグ（例：ＭＰ３のＩＤ３タグ）の内容や、該ファイルを格納するフォルダの名前や、ファイル名（ファイル名の一部及び全部のどちらでも可）として付与する。
【００３０】
リッピングにより作成された楽曲ファイルを格納したＳＤカードやＵＳＢメモリ２５は、その後、そのままオーディオ録再装置１０に装着されたまま、楽曲の再生に使用されたり、メモリカードスロット１５，１６又はＵＳＢ差込口１７から外されて、別の再生機に装着されてから、該別の再生機において楽曲の再生に使用されたりする。
【００３１】
図６は文字種選定楽曲記録ルーチン８８のフローチャートである。図４のタイトル文字種選定ルーチン６８では、楽曲関連情報データベースが格納されているＳＤカードが挿入されているスロットがＳＤスロット１及び２のどちらであるかにより楽曲関連情報データベースから読み出すタイトルの文字種を選定するのに対し、該文字種選定楽曲記録ルーチン８８では、リッピング対象楽曲をＳＤカードに記録する場合に、記録先の該ＳＤカードがＳＤスロット１及び２のどちらに挿入されているかにより楽曲関連情報データベースから読み出すタイトルの文字種を選定して、それをリッピング対象楽曲に関連付けて該リッピング対象楽曲と共に記録先ＳＤカードに記録することになる。
【００３２】
Ｓ８９では、リッピング対象楽曲の記録先はＳＤカードであるか否かを判定し、判定が正であれば、Ｓ９０へ進み、否であれば、Ｓ９１へ進む。Ｓ９１では、他の指定された記録媒体に楽曲データを記録し、その後、文字種選定楽曲記録ルーチン８８を終了する。
【００３３】
Ｓ９０では、ＳＤスロット１にＳＤカードが有るか否かを判定し、判定が正であれば、Ｓ９５へ進み、否であれば、Ｓ９６へ進む。Ｓ９５では、ＣＤにおけるリッピング対象の楽曲について、そのオリジナルタイトル（オリジナルタイトルは漢字表記になっている。）を楽曲関連情報データベースから取得するとともに、楽曲データと該オリジナルタイトルとを、相互に関連付けて、ＳＤスロット１のＳＤカードに記録する。記録先ＳＤカードにおける楽曲のデータとオリジナルタイトル又は後述のＳ９７における読み仮名との関連付けは、具体的には、図５のＳ８３と同様に、タイトル情報をリッピング対象楽曲のデータを含むＷＭＡ等の楽曲ファイルに対し、該ファイル内のタグの内容、該ファイルを格納するフォルダの名前、及び／又は該ファイル名（ファイル名の一部及び全部のどちらでも可）として付与する。Ｓ９５の後、文字種選定楽曲記録ルーチン８８を終了する。
【００３４】
Ｓ９６では、ＳＤスロット２にＳＤカードが有るか否かを判定し、判定が正であれば、Ｓ９７へ進み、否であれば、Ｓ９８へ進む。Ｓ９７では、ＣＤにおけるリッピング対象の楽曲について、そのオリジナルタイトルの読み仮名のタイトルを楽曲関連情報データベースから取得するとともに、楽曲データと該読み仮名のタイトルとを相互に関連付けて、ＳＤスロット２のＳＤカードに記録する。Ｓ９６の後、文字種選定楽曲記録ルーチン８８を終了する。
【００３５】
Ｓ９８では、ＳＤカードが未挿入である旨の通知を行って、Ｓ９０へ戻る。ＳＤカードが未挿入である旨の通知は、具体的には、表示部１３における視覚表示又はスピーカから音声や警告音の出力により行われる。
【００３６】
図７はコンテンツ処理装置１１０のブロック図である。コンテンツ処理装置１１０の具体例はオーディオ録再装置１０（図１）である。コンテンツ処理装置１１０の処理対象としてのコンテンツは、オーディオに限定されず、ビデオや静止画像等のその他のコンテンツであってもよい。図３〜図６のＤＢスロット特定ルーチン５８、タイトル文字種選定ルーチン６８、リッピングルーチン８０及び文字種選定楽曲記録ルーチン８８はコンテンツ処理装置１１０が実行する処理の具体例である。
【００３７】
図７のコンテンツ処理装置１１０は、複数の記憶媒体接続手段１１１と、読み取り手段１１２と、関連情報取得手段１１３と、記録手段１１４とを備える。
【００３８】
読み取り手段１１２は、所定の記録媒体１１７に記録されたコンテンツデータを読み取る。関連情報取得手段１１３は、読み取り手段１１２により読み取るコンテンツデータに対応付けて複数の文字種でコンテンツ関連情報を蓄積しているデータベース１１６を参照し、コンテンツデータに関連する関連情報を取得する。記録手段１１４は、読み取り手段１１２により読み取ったコンテンツデータに、関連情報読み取り手段１１３により取得した関連情報を付与し、複数の記憶媒体接続手段１１１に接続された記憶媒体１１９に記録する。
【００３９】
記録手段１１４は、複数の記憶媒体接続手段１１１と複数の文字種とが対応付けられており、記憶媒体１１９が接続された記憶媒体接続手段１１１又はデータベース１１６が記録された記憶媒体１１９が接続された記憶媒体接続手段１１１に対応付けられた文字種の関連情報が付与されて記憶媒体１１９に記録される。
【００４０】
所定の記録媒体１１７とは、例えば楽曲等を格納しているＣＤである。記憶媒体１１９とは例えばＳＤカードである。記憶媒体１１９に記録されるコンテンツ関連情報は、例えば、コンテンツデータを格納するファイルのタグとして格納されるが、これに限定されず、記憶媒体１１９において、コンテンツデータとそのコンテンツ関連情報とが対応付けて記録されており、各コンテンツデータに対してそれに対応付けられているコンテンツ関連情報を読み出せるようになっていればよい。
【００４１】
こうして、コンテンツ処理装置１１０では、コンテンツに対応付けてかつコンテンツと共に記憶媒体１１９に記録するコンテンツ関連情報についてその文字種を選択することが可能になる。
【００４２】
ユーザによる文字種の使い分けは、コンテンツ処理装置１１０の表示器が対応している文字種に合わせて行われる場合もあるし、ユーザの好みにより行われる場合もある。例えば、ユーザは、コンテンツ処理装置１１０の表示器が漢字対応であるにもかかわらず、漢字ではなく読み仮名でコンテンツ名等を表示することを好むことがある。
【００４３】
また、ユーザは、コンテンツ処理装置１１０においてコンテンツ及びそのコンテンツ関連情報を記録した記憶媒体１１９をコンテンツ処理装置１１０から外して、別のコンテンツ処理装置で該記憶媒体１１９を使用することを考えて、該別のコンテンツ処理装置の表示器が対応する表示に合わせて、コンテンツ処理装置１１０において該記憶媒体１１９に格納するコンテンツ関連情報の文字種を選択してもよい。
【００４４】
好ましくは、複数の記憶媒体接続手段１１１は、同一種類の記憶媒体１１９が接続可能であり、コンテンツ記録先の記憶媒体１１９又はデータベース１１６が記録された記憶媒体１１９を選択可能に接続する。
【００４５】
コンテンツ処理装置１１０では、ユーザは、データベース１１６を格納している記憶媒体１１９を接続する記憶媒体接続手段１１１を選択することにより又は記録先の記憶媒体１１９を接続する記憶媒体接続手段１１１を選択することによりを接続する記憶媒体接続手段１１１を選択することにより、所望の文字種のコンテンツ関連情報を記録対象コンテンツに対応付けてかつ記録対象コンテンツと共に記録先の記憶媒体１１９に記録することができる。
【００４６】
好ましくは、文字種には、漢字、読み仮名、及び／又は英語が含まれることを特徴とする、なお、一般的には、グレードが上位のコンテンツ処理装置が表示対応する文字種は、それより下位のコンテンツ処理装置が表示対応する文字種を含む。例えば、漢字表示対応のコンテンツ処理装置は読み仮名や英語の表示にも対応しており、読み仮名表示対応のコンテンツ処理装置は英語の表示にも対応している。
【００４７】
図８はコンテンツ処理方法１３０のフローチャートである。コンテンツ処理方法１３０は図７のコンテンツ処理装置１１０において実施される。
【００４８】
Ｓ１３１では、所定の記録媒体１１７に記録されたコンテンツデータを読み取る。Ｓ１３２では、Ｓ１３１において読み取るコンテンツデータに対応付けて複数の文字種でコンテンツ関連情報を蓄積しているデータベース１１６を参照し、コンテンツデータに関連する関連情報を取得する。
【００４９】
Ｓ１３３では、Ｓ１３１において読み取ったコンテンツデータに、Ｓ１３２において取得した関連情報を付与し、記憶媒体接続手段１１１に接続された記憶媒体１１９に記録する。具体的には、Ｓ１３３では、複数の記憶媒体接続手段１１１と複数の文字種とが対応付けられており、記憶媒体１１９が接続された記憶媒体接続手段１１１又はデータベース１１６が記録された記憶媒体１１９が接続された記憶媒体接続手段１１１に対応付けられた文字種の関連情報が付与されて記憶媒体１１９に記録される。
【００５０】
Ｓ１３１〜Ｓ１３３の処理は、コンテンツ処理装置１１０（図７）の読み取り手段１１２、関連情報取得手段１１３及び記録手段１１４の機能にそれぞれ対応している。したがって、読み取り手段１１２、関連情報取得手段１１３及び記録手段１１４の機能について述べた具体的態様はそれぞれＳ１３１〜Ｓ１３３の処理についての具体的態様としても適用可能である。
【００５１】
本発明を適用したプログラムは、コンピュータをコンテンツ処理装置１１０の各手段として機能させる。本発明を適用した別のプログラムは、コンテンツ処理方法１３０の各ステップをコンピュータに実行させる。
【００５２】
本明細書は様々な範囲及びレベルの発明を開示している。それら発明は、本明細書で説明した様々な技術的範囲及び具体的レベルの各装置及び各方法だけでなく、拡張ないし一般化の範囲で、各装置及び各方法から独立の作用、効果を奏する１つ又は複数の要素を抽出したものや、１つ又は複数の要素を拡張ないし一般化の範囲で変更したものや、さらに、各装置間及び各方法間で１つ又は複数の要素の組合せを入れ換えたものを含む。
【図面の簡単な説明】
【００５３】
【図１】オーディオ録再装置をその前方の斜め上方から見た斜視図である。
【図２】オーディオ録再装置のブロック図である。
【図３】ＤＢ（データベース）スロット特定ルーチンのフローチャートである。
【図４】タイトル文字種選定ルーチンのフローチャートである。
【図５】リッピングルーチンのフローチャートである。
【図６】文字種選定楽曲記録ルーチンのフローチャートである。
【図７】コンテンツ処理装置のブロック図である。
【図８】コンテンツ処理方法のフローチャートである。
【符号の説明】
【００５４】
１１０：コンテンツ処理装置、１１１：記憶媒体接続手段、１１２：読み取り手段、１１３：関連情報取得手段、１１４：記録手段、１１５：記録実行手段、１１６：データベース、１１７：記録媒体、１１９：記憶媒体、１３０：コンテンツ処理方法。 
【図１】
2010097647.tif 000003
【図２】
2010097647.tif 000004
【図３】
2010097647.tif 000005
【図４】
2010097647.tif 000006
【図５】
2010097647.tif 000007
【図６】
2010097647.tif 000008
【図７】
2010097647.tif 000009
【図８】
2010097647.tif 000010